(57)【要約】【課題】持ち手の負担を抑えることができると共に、持運び時の破断を抑制することができる箱用シートの提供を課題とする。【解決手段】本発明の箱用シートは、左右方向の一方側から他方側に順に連接され、組立時に四角筒状部を構成する第１側面パネル、第２側面パネル、第３側面パネル及び第４側面パネルを備え、箱型に組み立て可能な箱用シートであって、第１側面パネル及び第２側面パネルの連接部の上部、並びに第３側面パネル及び第４側面パネルの連接部の上部に一対の手掛け穴形成部を有し、一対の手掛け穴形成部が、上記連接部を中心として左右方向に延び、かつ下方に凸な円弧状の破断容易線と、この破断容易線の両端から上方かつ上記連接部側に延びる一対の第１折り曲げ容易線とを有し、上記破断容易線及び一対の第１折り曲げ線容易線の全体の概形が、円形状又は楕円形状である。【選択図】図１
2018058614.tif 000002
【特許請求の範囲】
【請求項１】
１枚のシートからなり、
左右方向の一方側から他方側に順に連接され、組立時に四角筒状部を構成する第１側面パネル、第２側面パネル、第３側面パネル及び第４側面パネルと、
上記第１側面パネル乃至第４側面パネルの少なくともいずれかの上縁から延出し、組立状態で上記四角筒状部の上端を封止する蓋部を形成する蓋部形成パネルと、
上記第１側面パネル乃至第４側面パネルの少なくともいずれかの下縁から延出し、組立状態で上記四角筒状部の下端を封止する底部を形成する底部形成パネルと
を備え、箱型に組み立て可能な箱用シートであって、
上記第１側面パネル及び第２側面パネルの連接部の上部、並びに上記第３側面パネル及び第４側面パネルの連接部の上部に一対の手掛け穴形成部を有し、
上記一対の手掛け穴形成部が、
上記連接部を中心として左右方向に延び、かつ下方に凸な円弧状の破断容易線と、
この破断容易線の両端から上方かつ上記連接部側に延びる一対の第１折り曲げ容易線と
を有し、
上記破断容易線及び一対の第１折り曲げ線容易線の全体の概形が、円形状又は楕円形状である箱用シート。
【請求項２】
上記破断容易線の両端の内側に配設され、左右方向に延びる第２折り曲げ容易線を有する請求項１に記載の箱用シート。
【請求項３】
上記第２折り曲げ容易線の両端から外側に延出する一対のスリットを有し、
上記一対のスリットが上方に凸な円弧状に形成されており、
上記一対のスリットの外側端に上記破断容易線が連結されている請求項２に記載の箱用シート。
【請求項４】
上記破断容易線及び一対の第１折り曲げ線容易線の全体の概形が、左右方向を長軸とする楕円形状である請求項１、請求項２又は請求項３に記載の箱用シート。
【請求項５】
上記長軸及び上記連接部の交点と上記破断容易線との上下方向距離に対する上記交点と連接部の上端との距離の比が１．１以上１．４以下である請求項１から請求項４のいずれか１項に記載の箱用シート。
【発明の詳細な説明】
【技術分野】
【０００１】
本発明は、箱用シートに関する。
【背景技術】
【０００２】
包装箱用シートとして、左右方向に連接され、組立時に四角筒状部を構成する４つの側面パネルと、これらの側面パネルの上縁から延出し、組立状態で四角筒状部の上端を封止する蓋部形成パネルと、これらの側面パネルの下縁から延出し、組立状態で四角筒状部の下端を封止する底部形成パネルとを有する段ボールシートが用いられている。
【０００３】
この包装箱用シートを組み立ててなる包装箱は、物品の保管用、運搬用等として広く用いられている。また、この包装箱としては、物品の運搬の際の持運び性を高めるべく手掛け部が形成されたものも存在している。このような手掛け部が形成された包装箱として、例えば「包装箱」（特開２０１３−２３０８４１号公報参照）が発案されている。
【０００４】
上記公報に記載の包装箱は、側面パネルの連接部に一対の手掛け穴形成部を有する。また、これらの手掛け穴形成部は、側面パネルの稜線を挟んで上下方向に延びる一対の第１切込みと、これらの第１切込みの下端同士を結ぶ破断容易線（第２切込み）と、一対の第１切込みの上端同士を結ぶ折り曲げ容易線と、側面パネルの稜線上で上記破断容易線及び折り曲げ容易線に連結される第３切込みとを有する。この包装箱は、上記破断容易線を破断し、この破断容易線、第１切込み、第２切込み及び折り曲げ容易線で囲まれる２つの領域をそれぞれ側面パネルの内側に折り返すことで、手掛け穴を形成可能とされている。
【先行技術文献】
【特許文献】
【０００５】
【特許文献１】特開２０１３−２３０８４１号公報
【発明の概要】
【発明が解決しようとする課題】
【０００６】
しかしながら、上記公報に記載の包装箱は、持運び時に側面パネルの手掛け穴の上側に位置する部分が持ち手に対して略垂直に当接するため、この当接部が手指に食い込みやすい。また、この包装箱は、側面パネルの手掛け穴の上側に位置する部分の内面側に手指をかけた場合、この部分に対して左右方向に力が加わりやすく、手掛け穴の端部を起点として破れやすい。
【０００７】
本発明は、このような事情に鑑みてなされたものであり、持ち手の負担を抑えることができると共に、持運び時の破断を抑制することができる箱用シートの提供を課題とするものである。
【課題を解決するための手段】
【０００８】
上記課題を解決するためになされた本発明に係る箱用シートは、１枚のシートからなり、左右方向の一方側から他方側に順に連接され、組立時に四角筒状部を構成する第１側面パネル、第２側面パネル、第３側面パネル及び第４側面パネルと、上記第１側面パネル乃至第４側面パネルの少なくともいずれかの上縁から延出し、組立状態で上記四角筒状部の上端を封止する蓋部を形成する蓋部形成パネルと、上記第１側面パネル乃至第４側面パネルの少なくともいずれかの下縁から延出し、組立状態で上記四角筒状部の下端を封止する底部を形成する底部形成パネルとを備え、箱型に組み立て可能な箱用シートであって、上記第１側面パネル及び第２側面パネルの連接部の上部、並びに上記第３側面パネル及び第４側面パネルの連接部の上部に一対の手掛け穴形成部を有し、上記一対の手掛け穴形成部が、上記連接部を中心として左右方向に延び、かつ下方に凸な円弧状の破断容易線と、この破断容易線の両端から上方かつ上記連接部側に延びる一対の第１折り曲げ容易線とを有し、上記破断容易線及び一対の第１折り曲げ線容易線の全体の概形が、円形状又は楕円形状である。
【０００９】
当該箱用シートは、一対の手掛け穴形成部が、側面パネルの連接部を中心として左右方向に延び、かつ下方に凸な円弧状の破断容易線と、この破断容易線の両端から上方かつ上記連接部側に延びる一対の第１折り曲げ容易線とを有し、この破断容易線及び一対の第１折り曲げ線容易線の全体の概形が円形状又は楕円形状であるので、組立状態でこの破断容易線及び一対の第１折り曲げ容易線で囲まれる領域（以下、「折り込み領域」ともいう）を指で内側に押し込むことで、上記破断容易線が容易に破断して折り込み領域が内側に折れ曲がる。当該箱用シートは、この折り込み領域を側面パネルの内側に折り込んだ状態で、この折り込み領域を下方から支持して持ち運ぶことができる。この際、当該箱用シートは、上記破断容易線及び一対の第１折り曲げ線容易線の全体の概形が円形状又は楕円形状であるので、折り込み領域を押し込む際に、作業者の指をこの折り込み領域の頂点部分に誘導することができ、この折り込み領域の下面を下方から持つことができる。そのため、当該箱用シートは、上記折り込み領域のエッジに負担がかかり難いので、持運びに際して破れ難い。また、当該箱用シートは、上記折り込み領域を蓋部の内面に重ねた状態で保持することができるので、この折り込み領域を蓋部と共に持ち上げることができ、これにより持運び時に当該箱用シートに加わる力が分散する。そのため、当該箱用シートは、持運び時の破れを効果的に抑制することができる。また、当該箱用シートは、上記折り込み領域を下方から支持して持ち運ぶことができるので、側面パネルが手指に略垂直に当接することがなく、作業者の持ち手の負担を抑えることができる。
【００１０】
上記破断容易線の両端の内側に配設され、左右方向に延びる第２折り曲げ容易線を有するとよい。このように、上記破断容易線の両端の内側に配設され、左右方向に延びる第２折り曲げ容易線を有することによって、上記第２折り曲げ容易線及び破断容易線で囲まれる領域（以下、「第１折り込み領域」ともいう）を側面パネルの内側に押し込むことで、上記折り込み領域全体を比較的容易に折り込むことができる。
【００１１】
上記第２折り曲げ容易線の両端から外側に延出する一対のスリットを有し、上記一対のスリットが上方に凸な円弧状に形成されており、上記一対のスリットの外側端に上記破断容易線が連結されているとよい。このように、上記第２折り曲げ容易線の両端から外側に延出する一対のスリットを有し、上記一対のスリットが上方に凸な円弧状に形成されており、上記一対のスリットの外側端に上記破断容易線が連結されていることによって、上記破断容易線によって画定される手掛け穴の外縁と上記一対の第１折り曲げ容易線及び第２折り曲げ容易線によって囲まれる領域（以下、「第２折り込み領域」ともいう）の外縁との連続部分が比較的なだらかな曲線状となるので、上記第１折り込み領域及び第２折り込み領域を側面パネルの内側に押し込んだ際にこの連続部分に加わる力を逃がすことができる。これにより、この連続部分の破断を抑制することができる。
【００１２】
上記破断容易線及び一対の第１折り曲げ線容易線の全体の概形が、左右方向を長軸とする楕円形状であるとよい。このように、上記破断容易線及び一対の第１折り曲げ線容易線の全体の概形が、左右方向を長軸とする楕円形状であることによって、上記折り込み領域を水平方向に押し込みやすい。また、上記破断容易線及び一対の第１折り曲げ線容易線の全体の概形が、左右方向を長軸とする楕円形状であることによって、上記折り込み領域を側面パネルの内側に押し込んだ状態で、これらの領域を下側から持ちやすい。
【００１３】
上記長軸及び上記連接部の交点と上記破断容易線との上下方向距離に対する上記交点と連接部の上端との距離の比としては、１．１以上１．４以下が好ましい。このように、上記長軸及び上記連接部の交点と上記破断容易線との上下方向距離に対する上記交点と連接部の上端との距離の比が上記範囲内であることによって、上記折り込み領域を側面パネルの内側に押し込んだ状態で、この折り込み領域を蓋部の内面に重ねやすい。これにより、この折り込み領域と蓋部とを一体的に持ち上げやすい。そのため、上記折り込み領域の持ち上げ時における側面パネルや蓋部の破損をより的確に抑制することができる。
【００１４】
なお、本発明において「左右方向」とは、箱用シートを組み立ててなる包装箱の想定される一般的な使用態様における水平方向をいい、「上」及び「下」とは、想定される一般的な使用態様における上下を意味するが、上記包装箱の使用時の向きを制限することを企図するものではない。また、「概形が円形状又は楕円形状」とは、例えば円又は楕円の一部が分断された形状を含む。
【発明の効果】
【００１５】
以上説明したように、本発明に係る箱用シートは持ち手の負担を抑えることができると共に、持運び時の破断を抑制することができる。
【図面の簡単な説明】
【００１６】
【図１】本発明の一実施形態に係る箱用シートを示す模式的平面図である。
【図２】図１の箱用シートを組み立ててなる箱の手掛け穴形成工程の一手順を示す模式的斜視図である。
【図３】図１の箱用シートを組み立ててなる箱の手掛け穴形成工程の図２の次の手順を示す模式的斜視図である。
【図４】図１の箱用シートを組み立ててなる包装箱を示す模式的斜視図である。
【図５】図１の箱用シートとは異なる形態に係る箱用シートを示す模式的平面図である。
【発明を実施するための形態】
【００１７】
以下、適宜図面を参照しつつ、本発明の実施の形態を詳説する。
【００１８】
＜箱用シート＞
図１の箱用シート１は、１枚のシートからなる。当該箱用シート１は、左右方向の一方側から他方側に順に連接され、組立時に四角筒状部を構成する第１側面パネル２、第２側面パネル３、第３側面パネル４及び第４側面パネル５と、第１側面パネル２及び第３側面パネル４の上縁から延出する一対の上側外フラップ６，７と、第２側面パネル３及び第４側面パネル５の上縁から延出する一対の上側内フラップ８，９と、第１側面パネル２及び第３側面パネル４の下縁から延出する一対の下側外フラップ１０，１１と、第２側面パネル３及び第４側面パネル５の下縁から延出する一対の下側内フラップ１２，１３と、第１側面パネル２の第２側面パネル３との連接側と反対側の端縁に連接される糊代部１４とを備える。一対の上側外フラップ６，７及び一対の上側内フラップ８，９は、組立状態で上記四角筒状部の上端を封止する蓋部を形成する蓋部形成パネルとして構成されている。また、一対の下側外フラップ１０，１１及び一対の下側内フラップ１２，１３は、組立状態で上記四角筒状部の下端を封止する底部を形成する底部形成パネルとして構成されている。さらに、当該箱用シート１は、第１側面パネル２及び第２側面パネル３の連接部の上部、並びに第３側面パネル４及び第４側面パネル５の連接部の上部に一対の手掛け穴形成部１５を備える。
【００１９】
箱用シート１に用いられるシートとしては、箱用シート１を組み立ててなる包装箱の形状を維持できる程度の強度を有し、かつ適度な反発力を有している限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
当該箱用シートの組立手順について説明する。まず、第１側面パネル２を第２側面パネル３の内面に折り重ね、続いて第４側面パネル５を第３側面パネル４の内面に折り重ね、糊代部１４を第４側面パネル５の内面に貼着する。これにより、第１側面パネル２、第２側面パネル３、第３側面パネル４及び第４側面パネル５（以下、単に「側面パネル２〜５」ともいう）が無端状に接続され、四角筒状部が形成される。次に、一対の下側内フラップ１２，１３を内側に略直角に折り曲げ、さらに一対の下側外フラップ１０，１１を内側に略直角に折り曲げて先端同士を突き合わせることで底部を形成する。なお、一対の下側外フラップ１０，１１の突き合わせ部には、突き合わせ状態を保持すべく封函テープ等を貼着することが好ましい。続いて、一対の上側内フラップ８，９を内側に略直角に折り曲げ、さらに一対の上側外フラップ６，７を内側に略直角に折り曲げて先端同士を突き合わせることで蓋部を形成する。なお、一対の上側外フラップ６，７の突き合わせ部には、突き合わせ状態を保持すべく封函テープ等を貼着することが好ましい。
【００２１】
（側面パネル）
側面パネル２〜５は各々略方形状に形成されている。側面パネル２〜５は各々上下方向長さが略等しい。また、第１側面パネル２及び第３側面パネル４は、組立状態で対向するよう左右方向長さが略等しく、第２側面パネル３及び第４側面パネル５は、組立状態で対向するよう左右方向長さが略等しい。さらに、第１側面パネル２及び第３側面パネル４は長辺側面パネルとして構成されており、第２側面パネル３及び第４側面パネル５は短辺側面パネルとして構成されている（つまり、第１側面パネル２及び第３側面パネル４の左右方向長さは第２側面パネル３及び第４側面パネル５の左右方向長さよりも大きい）。
【００２２】
側面パネル２〜５の上下方向長さとしては、当該箱用シート１を組み立ててなる包装箱に収容される物品のサイズに合わせて適宜設計可能であり、例えば２０ｃｍ以上１００ｃｍ以下とすることができる。第１側面パネル２及び第３側面パネル４の左右方向長さとしては、当該箱用シート１を組み立ててなる包装箱に収容される物品のサイズに合わせて適宜設計可能であり、例えば２０ｃｍ以上１００ｃｍ以下とすることができる。第２側面パネル３及び第４側面パネル５の左右方向長さとしては、当該箱用シート１を組み立ててなる包装箱に収容される物品のサイズに合わせて適宜設計可能であり、例えば１０ｃｍ以上６０ｃｍ以下とすることができる。
【００２３】
〈手掛け穴形成部〉
上述のように、一対の手掛け穴形成部１５は、第１側面パネル２及び第２側面パネル３の連接部の上部、並びに第３側面パネル４及び第４側面パネル５の連接部の上部に形成されている。一対の手掛け穴形成部１５は、上記連接部を中心として左右方向に延び、かつ下方に凸な円弧状の破断容易線１７と、この破断容易線１７の両端から上方かつ上記連接部側に延びる一対の第１折り曲げ容易線１８とを有する。破断容易線１７の両端は上下方向における同一位置に配設されている。また、一対の手掛け穴形成部１５は、破断容易線１７の両端の左右方向内側に配設され、左右方向に延びる第２折り曲げ容易線１６を有する。さらに、一対の手掛け穴形成部１５は、第２折り曲げ容易線１６の両端から外側に延出する一対のスリット１９を有する。一対のスリット１９は、上方に凸な円弧状に形成されており、これらの一対のスリット１９の外側端に破断容易線１７が連結されている。一対のスリット１９は、幅のない切断線として構成されている。また、破断容易線１７及び一対の第１折り曲げ容易線１８の全体の概形は、円形状又は楕円形状とされている。第１折り曲げ容易線１８及び第２折り曲げ容易線１６は、例えばシート材の一方側面を筋押しして形成される罫線である。また、破断容易線１７は、例えばスリットが間欠的に配設されたいわゆるミシン目である。
【００２４】
まず、図２，３を参照して、一対の手掛け穴形成部１５による手掛け穴の形成手順を説明する。なお、図２，３では、第１側面パネル２及び第２側面パネル３の連接部に形成される手掛け穴形成部１５について説明するが、第３側面パネル４及び第４側面パネル５の連接部に形成される手掛け穴形成部１５についても同様である。まず、図２に示すように、第２折り曲げ容易線１６及び破断容易線１７で囲まれる領域（第１折り込み領域Ｘ）を指で押し込み、破断容易線１７を破断する。
【００２５】
次に、図３に示すように、第１折り込み領域Ｘをさらに内側に押し込むことで、第１折り込み領域Ｘと、一対の第１折り曲げ容易線１８及び第２折り曲げ容易線１６によって囲まれる領域（第２折り込み領域Ｙ）とを共に第１側面パネル２及び第２側面パネル３の内側に押し込む。これにより、第１折り込み領域Ｘ及び第２折り込み領域Ｙの上面が上側内フラップ８に当接した状態で保持される。
【００２６】
当該箱用シート１は、第１側面パネル２と第２側面パネル３との連接部、及び第３側面パネル４と第４側面パネル５との連接部に一対の手掛け穴形成部１５が形成されているので、図４に示すように、当該箱用シート１を組み立ててなる包装箱２１において、一対の手掛け穴形成部１５によって形成される一対の手掛け穴２２は四角筒状部の対角線上に形成される。当該箱用シート１は、このように一対の手掛け穴２２が四角筒状部の対角線上に形成されることで、包装箱２１において比較的強度が高い四角筒状部の角部を持ち上げることができ、包装箱２１の持運びに起因する包装箱２１の損傷を抑制しやすい。
【００２７】
一対の第１折り曲げ容易線１８の上端と、側面パネル２〜５の上端との上下方向距離の下限としては、０．５ｃｍが好ましく、０．８ｃｍがより好ましい。一方、上記上下方向距離の上限としては、２ｃｍが好ましく、１．５ｃｍがより好ましい。上記上下方向距離が上記下限に満たないと、一対の第１折り曲げ容易線１８の上端と側面パネル２〜５の上端との間の部分が破断するおそれがある。逆に、上記上下方向距離が上記上限を超えると、折り込み領域（第１折り込み領域Ｘ及び第２折り込み領域Ｙ）を蓋部の下面に当接し難くなるおそれがある。これに対し、上記上下方向長さが上記上限以下であることによって、上記折り込み領域を側面パネル２〜５の内側に押し込んだ状態で、この折り込み領域を蓋部の内面に重ねやすい。これにより、この折り込み領域と蓋部とを一体的に持ち上げやすい。そのため、上記折り込み領域の持ち上げ時における側面パネル２〜５や蓋部の破損をより的確に抑制することができる。
【００２８】
当該箱用シート１は、一対のスリット１９が上方に凸な円弧状に形成され、一対のスリット１９の外側端に破断容易線１７が連結されていることで、破断容易線１７によって画定される手掛け穴２２の外縁とスリット１９によって画定される第２折り込み領域Ｙの外縁との連続部分が比較的なだらかな曲線状となる。そのため、当該箱用シート１は、第１折り込み領域Ｘ及び第２折り込み領域Ｙを側面パネル２〜５の内側に押し込んだ際にこの連続部分に加わる力を逃がすことができ、この連続部分の破断を抑制することができる。
【００２９】
第２折り曲げ容易線１６は、例えば直線状に形成されてもよいが、上方に凸状に弓なりに湾曲していることが好ましい。当該箱用シート１は、第２折り曲げ容易線１６が上方に凸状に弓なりに湾曲していることによって、第１折り込み領域Ｘ全体を側面パネル２〜５の内側に押し込みやすい。またこれにより、当該箱用シート１は、この第１折り込み領域Ｘと共に第２折り込み領域Ｙを側面パネル２〜５の内側に押し込みやすい。
【００３０】
第２折り曲げ容易線１６が上方に凸状に弓なりに湾曲している場合、この第２折り曲げ容易線１６の平均曲率半径の下限としては、６ｃｍが好ましく、８ｃｍがより好ましい。一方、上記平均曲率半径の上限としては、１５ｃｍが好ましく、１２ｃｍがより好ましい。上記平均曲率半径が上記範囲内であることによって、第１折り込み領域Ｘを側面パネル２〜５の内側に無理なく押し込みやすい。
【００３１】
第２折り曲げ容易線１６の左右方向長さに対するスリット１９の左右方向長さの比の下限としては、０．０５が好ましく、０．１がより好ましい。一方、上記比の上限としては、０．２が好ましく、０．１６がより好ましい。上記比が上記下限に満たないと、第１折り込み領域Ｘ及び第２折り込み領域Ｙを内側に押し込んだ際に、破断容易線１７によって画定される手掛け穴２２の外縁とスリット１９によって画定される第２折り込み領域Ｙの外縁との連続部分に加わる力を十分に逃がすことができないおそれがある。逆に、上記比が上記上限を超えると、第１折り込み領域Ｘ及び第２折り込み領域Ｙの連接部の強度が不十分となるおそれがある。
【００３２】
第２折り曲げ容易線１６及び一対のスリット１９の左右方向合計長さの下限としては、４ｃｍが好ましく、５ｃｍがより好ましい。一方、上記合計長さの上限としては、１０ｃｍが好ましく、８ｃｍがより好ましい。上記合計長さが上記下限に満たないと、手掛け穴２２に手指を入れ難くなるおそれがある。逆に、上記合計長さが上記上限を超えると、手掛け穴２２が不要に大きくなり、この手掛け穴２２から異物が混入したり、包装箱２１の強度が不十分となるおそれがある。
【００３３】
破断容易線１７及び一対の第１折り曲げ容易線１８の全体の概形は、左右方向を長軸とする楕円形状であることが好ましい。当該箱用シート１は、破断容易線１７及び一対の第１折り曲げ容易線１８の全体の概形が、左右方向を長軸とする楕円形状であることによって、上記折り込み領域（第１折り込み領域Ｘ及び第２折り込み領域Ｙ）全体を水平方向に押し込みやすい。また、破断容易線１７及び一対の第１折り曲げ容易線１８の全体の概形が、左右方向を長軸とする楕円形状であることによって、上記折り込み領域を側面パネル２〜５の内側に押し込んだ状態で、この折り込み領域を下側から持ちやすい。
【００３４】
破断容易線１７及び一対の第１折り曲げ容易線１８の全体の概形が左右方向を長軸とする楕円形状である場合、この楕円形の長軸方向長さに対する短軸方向長さの比の下限としては、０．５が好ましく、０．６がより好ましい。一方、上記比の上限としては、０．８が好ましく、０．７５がより好ましい。上記比が上記下限に満たないと、上記折り込み領域を蓋部の下面に的確に当接し難くなるおそれがある。逆に、上記比が上記上限を超えると、上記折り込み領域を水平方向に十分に押し込むことが困難となり、この折り込み領域を蓋部の下面に的確に当接し難くなるおそれがある。
【００３５】
破断容易線１７及び一対の第１折り曲げ容易線１８の全体の概形が左右方向を長軸とする楕円形状である場合、この楕円形の長軸及び側面パネル２〜５の連接部の交点と破断容易線１７との上下方向距離に対する上記交点と上記連接部の上端との距離の比の下限としては、１．１が好ましく、１．２がより好ましい。一方、上記比の上限としては、１．４が好ましく、１．３がより好ましい。上記比が上記下限に満たないと、上記連接部の手掛け穴形成部１５よりも上側の距離が不十分となり、この部分が破断するおそれがある。逆に、上記比が上記上限を超えると、上記折り込み領域を蓋部の下面に当接し難くなるおそれがある。これに対し、上記比が上記上限以下であることによって、上記折り込み領域を側面パネル２〜５の内側に押し込んだ状態で、この折り込み領域を蓋部の内面に重ねやすい。これにより、この折り込み領域と蓋部とを一体的に持ち上げやすい。そのため、上記折り込み領域の持ち上げ時における側面パネル２〜５や蓋部の破損をより的確に抑制することができる。なお、当該箱用シート１は、破断容易線１７及び一対の第１折り曲げ容易線１８の全体の概形が左右方向を長軸とする楕円形状でない場合、例えば第２折り曲げ容易線１６及び側面パネル２〜５の連接部の交点と破断容易線１７との上下方向距離に対する上記交点と上記連接部の上端との距離の比が上記範囲内であることによって、上記と同様の効果を奏することが可能である。
【００３６】
（上側フラップ）
一対の上側外フラップ６，７及び一対の上側内フラップ８，９は、各々略矩形状に形成されている。一対の上側外フラップ６，７は略同形状に形成されている。また、一対の上側内フラップ８，９は略同形状に形成されている。また、一対の上側外フラップ６，７及び一対の上側内フラップ８，９の延出方向長さは略等しい。一対の上側外フラップ６，７及び一対の上側内フラップ８，９の延出方向長さは、組立状態で一対の上側外フラップ６，７の先端同士が突き合わされるように第２側面パネル３及び第４側面パネル５の左右方向長さの略１／２とされている。
【００３７】
（下側フラップ）
一対の下側外フラップ１０，１１及び一対の下側内フラップ１２，１３は、各々略矩形状に形成されている。一対の下側外フラップ１０，１１は略同形状に形成されている。また、一対の下側内フラップ１２，１３は略同形状に形成されている。また、一対の下側外フラップ１０，１１及び一対の下側内フラップ１２，１３の延出方向長さは略等しい。一対の下側外フラップ１０，１１の延出方向長さは、組立状態で一対の下側外フラップ１０，１１の先端同士が突き合わされるように第２側面パネル３及び第４側面パネル５の左右方向長さの略１／２とされている。
【００３８】
＜利点＞
当該箱用シート１は、一対の手掛け穴形成部１５が、側面パネルの連接部を中心として左右方向に延び、かつ下方に凸な円弧状の破断容易線１７と、この破断容易線１７の両端から上方かつ上記連接部側に延びる一対の第１折り曲げ容易線１８とを有し、この破断容易線１７及び一対の第１折り曲げ線容易線１８の全体の概形が円形状又は楕円形状であるので、組立状態でこの破断容易線１７及び一対の第１折り曲げ容易線１８で囲まれる折り込み領域を指で内側に押し込むことで、破断容易線１７が容易に破断して上記折り込み領域が内側に折れ曲がる。当該箱用シート１は、この折り込み領域を側面パネル２〜５の内側に折り込んだ状態で、この折り込み領域を下方から支持して持ち運ぶことができる。この際、当該箱用シート１は、破断容易線１７及び一対の第１折り曲げ線容易線１８の全体の概形が円形状又は楕円形状であるので、上記折り込み領域を押し込む際に、作業者の指を上記折り込み領域の頂点部分に誘導することができ、この折り込み領域の下面を下方から持つことができる。そのため、当該箱用シート１は、上記折り込み領域のエッジに負担がかかり難いので、持運びに際して破れ難い。また、当該箱用シート１は、上記折り込み領域を蓋部の内面に重ねた状態で保持することができるので、この折り込み領域を蓋部と共に持ち上げることができ、これにより持運び時に当該箱用シート１に加わる力が分散する。そのため、当該箱用シート１は、持運び時の破れを効果的に抑制することができる。また、当該箱用シート１は、上記折り込み領域を下方から支持して持ち運ぶことができるので、側面パネル２〜５が手指に略垂直に当接することがなく、作業者の持ち手の負担を抑えることができる。
【００３９】
［第二実施形態］
図５の箱用シート３１は、１枚のシートからなる。当該箱用シート３１は、左右方向の一方側から他方側に順に連接され、組立時に四角筒状部を構成する第１側面パネル２、第２側面パネル３、第３側面パネル４及び第４側面パネル５と、第１側面パネル２及び第３側面パネル４の上縁から延出する一対の上側外フラップ６，７と、第２側面パネル３及び第４側面パネル５の上縁から延出する一対の上側内フラップ８，９と、第１側面パネル２及び第３側面パネル４の下縁から延出する一対の下側外フラップ１０，１１と、第２側面パネル３及び第４側面パネル５の下縁から延出する一対の下側内フラップ１２，１３と、第１側面パネル２の第２側面パネル３との連接側と反対側の端縁に連接される糊代部１４とを備える。一対の上側外フラップ６，７及び一対の上側内フラップ８，９は、組立状態で上記四角筒状部の上端を封止する蓋部を形成する蓋部形成パネルとして構成されている。また、一対の下側外フラップ１０，１１及び一対の下側内フラップ１２，１３は、組立状態で上記四角筒状部の下端を封止する底部を形成する底部形成パネルとして構成されている。さらに、当該箱用シート３１は、第１側面パネル２及び第２側面パネル３の連接部の上部、並びに第３側面パネル４及び第４側面パネル５の連接部の上部に一対の手掛け穴形成部３２を備える。当該箱用シート３１は、手掛け穴形成部３２の構成以外、図１の箱用シート１と同様に構成されている。そのため、以下では手掛け穴形成部３２についてのみ説明する。
【００４０】
〈手掛け穴形成部〉
一対の手掛け穴形成部３２は、上記連接部を中心として左右方向に延び、かつ下方に凸な円弧状の破断容易線３４と、この破断容易線３４の両端から上方かつ上記連接部側に延びる一対の第１折り曲げ容易線３５とを有する。また、一対の手掛け穴形成部３２は、破断容易線３４の両端の内側に配設され、左右方向に延びる第２折り曲げ容易線３３を有する。さらに、一対の手掛け穴形成部３２は、上記連接部と重なり合わない部分において第２折り曲げ容易線３３及び破断容易線３４に連結されるスリット３６を有する。スリット３６は上下方向に延びている。第２折り曲げ容易線３３は左右方向に直線状に延びている。第２折り曲げ容易線３３の左右方向の外端は、破断容易線３４の基端と連結されている。また、破断容易線３４及び一対の第１折り曲げ容易線３５の全体の概形は、円形状又は楕円形状とされている。第１折り曲げ容易線３５及び第２折り曲げ容易線３３は、例えばシート材の一方側面を筋押しして形成される罫線である。また、破断容易線３４は、例えばスリットが間欠的に配設されたいわゆるミシン目である。
【００４１】
第２折り曲げ容易線３３の左右方向長さとしては、図１の箱用シート１の第２折り曲げ容易線１６及び一対のスリット１９の左右方向合計長さと同様とすることができる。破断容易線３４及び一対の第１折り曲げ容易線３５の全体の概形は、左右方向を長軸とする楕円形状であることが好ましい。破断容易線３４及び一対の第１折り曲げ容易線３５の全体の概形が左右方向を長軸とする楕円形状である場合、この楕円形の長軸方向長さに対する短軸方向長さの比の下限としては、図１の箱用シート１と同様とすることができる。上記楕円形の長軸及び側面パネル２〜５の連接部の交点と破断容易線３４との上下方向距離に対する上記交点と上記連接部の上端との距離の比としては、図１の箱用シート１と同様とすることができる。
【００４２】
＜利点＞
当該箱用シート３１は、一対の手掛け穴形成部３２が第１側面パネル２及び第２側面パネル３、並びに第３側面パネル４及び第４側面パネル５の連接部と重なり合わない部分において第２折り曲げ容易線３３及び破断容易線３４に連結され、上下方向に延びるスリット３６を有するので、第１折り込み領域を蓋部の下面に当接しやすい。また、当該箱用シート３１は、スリット３６が第１側面パネル２及び第２側面パネル３、並びに第３側面パネル４及び第４側面パネル５の連接部と重なり合わない部分に形成されているので、第１折り込み領域及び第２折り込み領域を下方から支持して持ち運ぶ際に、このスリット３６以外の部分を支持しやすい。さらに、当該箱用シート３１は、スリット３６が第１側面パネル２及び第２側面パネル３、並びに第３側面パネル４及び第４側面パネル５の連接部と重なり合わない部分に形成されているので、手掛け穴形成部３２によって手掛け穴を形成する前の組立状態で、スリット３６の両側が開いて外側に突出し難い。
【００４３】
［その他の実施形態］
なお、本発明に係る箱用シートは、上記態様の他、種々の変更、改変を施した態様で実施することができる。
【００４４】
例えば当該箱用シートは、第１側面パネル及び第３側面パネルが短辺側面パネルとして構成され、第２側面パネル及び第４側面パネルが長辺側面パネルとして構成されてもよい。また、上記蓋部形成パネル及び底部形成パネルの具体的構成は限定されるものではなく、例えばワンタッチタイプであってもよく、また、第１側面パネル乃至第４側面パネルの少なくとも１つから延出する３つ以下のパネルによって形成されてもよい。
【００４５】
当該箱用シートは、必ずしも上記第２折り曲げ容易線を有していなくてもよい。当該箱用シートは、第２折り曲げ容易線を有しない場合でも、上記折り込み領域を側面パネルの内側に折り込むことで手掛け穴を形成可能である。
【産業上の利用可能性】
【００４６】
以上のように、本発明に係る箱用シートは、持ち手の負担を抑えることができると共に、持運び時の破断を抑制することができるので、物品の運搬に用いられる包装箱用シートとして適している。
【符号の説明】
【００４７】
１，３１  箱用シート
２  第１側面パネル
３  第２側面パネル
４  第３側面パネル
５  第４側面パネル
６，７  上側外フラップ
８，９  上側内フラップ
１０，１１  下側外フラップ
１２，１３  下側内フラップ
１４  糊代部
１５，３２  手掛け穴形成部
１６，３３  第２折り曲げ容易線
１７，３４  破断容易線
１８，３５  第１折り曲げ容易線
１９，３６  スリット
２１  包装箱
２２  手掛け穴
【図１】
2018058614.tif 000003
【図２】
2018058614.tif 000004
【図３】
2018058614.tif 000005
【図４】
2018058614.tif 000006
【図５】
2018058614.tif 000007
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
１枚のシートからなり、
左右方向の一方側から他方側に順に連接され、組立時に四角筒状部を構成する第１側面パネル、第２側面パネル、第３側面パネル及び第４側面パネルと、
上記第１側面パネル乃至第４側面パネルの少なくともいずれかの上縁から延出し、組立状態で上記四角筒状部の上端を封止する蓋部を形成する蓋部形成パネルと、
上記第１側面パネル乃至第４側面パネルの少なくともいずれかの下縁から延出し、組立状態で上記四角筒状部の下端を封止する底部を形成する底部形成パネルと
を備え、箱型に組み立て可能な箱用シートであって、
上記第１側面パネル及び第２側面パネルの連接部の上部、並びに上記第３側面パネル及び第４側面パネルの連接部の上部に一対の手掛け穴形成部を有し、
上記一対の手掛け穴形成部が、
上記連接部を中心として左右方向に延び、かつ下方に凸な円弧状の破断容易線と、
この破断容易線の両端から上方かつ上記連接部側に延びる一対の第１折り曲げ容易線と
を有し、
上記破断容易線及び一対の第１折り曲げ線容易線の全体の概形が、円形状又は楕円形状であり、
上記破断容易線及び一対の第１折り曲げ容易線で囲まれる領域が組立状態で上記蓋部の内面に当接する箱用シート。
【請求項２】
上記破断容易線の両端の内側に配設され、左右方向に延びる第２折り曲げ容易線を有する請求項１に記載の箱用シート。
【請求項３】
上記第２折り曲げ容易線の両端から外側に延出する一対のスリットを有し、
上記一対のスリットが上方に凸な円弧状に形成されており、
上記一対のスリットの外側端に上記破断容易線が連結されている請求項２に記載の箱用シート。
【請求項４】
上記破断容易線及び一対の第１折り曲げ線容易線の全体の概形が、左右方向を長軸とする楕円形状である請求項１、請求項２又は請求項３に記載の箱用シート。
【請求項５】
上記長軸及び上記連接部の交点と上記破断容易線との上下方向距離に対する上記交点と連接部の上端との距離の比が１．１以上１．４以下である請求項４に記載の箱用シート。